(57)【要約】【課題】生体電気インピーダンス測定において、測定時に用いる電極と生体との接触が正常であるかをより正確に判定すること。それにより、正確な生体電気インピーダンス測定を行うことができる装置を提供すること。【解決手段】電極と生体との接触状態の判定に、位相差に関するパラメータを用いる。この位相差に関するパラメータとしては、測定される生体電気インピーダンスにおける抵抗（レジスタンス）成分をＲ、リアクタンス成分をＸとしたとき、Ｘ／Ｒで示される値を用い、条件として、ａ＜Ｘ／Ｒ＜ｂ（ただし、ａ，ｂは実数）といった判定条件を設けて、この範囲外のときには、電極と生体との接触が異常であると判定する。【選択図】図７
2005080720.tif 000002
【特許請求の範囲】
【請求項１】
生体に接触する電極を含む生体電気インピーダンスを測定するためのインピーダンス測定手段を備える生体電気インピーダンス測定装置において、
生体の位相差に関するパラメータを用いて前記電極と生体との接触状態を判定する判定手段を備えることを特徴とする生体電気インピーダンス測定装置。
【請求項２】
前記インピーダンス測定手段において測定される生体電気インピーダンスにおける抵抗成分をＲ、リアクタンス成分をＸとすると、前記生体の位相差に関するパラメータはＸ／Ｒで示される値であることを特徴とする請求項１に記載の生体電気インピーダンス測定装置。
【請求項３】
前記判定手段における接触判定の条件は、
ａ＜Ｘ／Ｒ＜ｂ
（但しａ，ｂは実数）
であることを特徴とする請求項２に記載の生体電気インピーダンス測定装置。
【請求項４】
前記判定手段は、位相差に関するパラメータを用いて電極と生体との接触状態を判定する前に、更に前記インピーダンス測定手段で測定される生体電気インピーダンスの抵抗成分に関するパラメータが正の値であるかを判定することで接触状態を判定することを特徴とする請求項３に記載の生体電気インピーダンス測定装置。
【請求項５】
前記抵抗成分に関するパラメータは真のインピーダンスの抵抗成分を表す真インピーダンス成分変数であることを特徴とする請求項４に記載の生体電気インピーダンス測定装置。
【請求項６】
前記抵抗成分に関するパラメータは抵抗成分に基因する電圧を表す実測電圧変数であることを特徴とする請求項４に記載の生体電気インピーダンス測定装置。
【発明の詳細な説明】
【技術分野】
【０００１】
本発明は、生体電気インピーダンスを測定して身体の組成を算出する装置における電極の接触状態を判定する技術に関するものである。
【背景技術】
【０００２】
生体電気インピーダンスを測定し、体内の脂肪を算出する装置がある。この測定方法としては主に４端子法と呼ばれる測定法が用いられている。
【０００３】
この生体電気インピーダンス測定の４端子法について説明すると、測定者の両手または両足といった部位間の身体内のインピーダンスを測定し、その測定値から体脂肪量、筋肉量、体水分量などを統計的に推定するものである。
【０００４】
体重測定と共に、体脂肪率を測定する体重計付き体脂肪計が知られているが、両足間における生体電気インピーダンスを測定する場合には、装置の上面に設けられた足用電極に測定者の足の裏を接触させるように装置に載り、測定を行うものである。
【０００５】
このような測定法では、電極と皮膚表面とが充分な接触が確保されている場合には、問題なく測定できるものであるが、不十分な接触状況の場合には、皮膚表面と電極との間に高い接触インピーダンスが生じ、正確な測定が行われない場合がある。
【０００６】
このような問題点の対策として、電極と測定者との接触状態をチェックする方法が多数提案されている。
【０００７】
電流印加電極Ａ１，Ａ２と電圧測定電極Ｂ１，Ｂ２との間にそれぞれ測定精度に影響を与えない程度の値を持つ抵抗Ｒａ，Ｒｂを接続し、接触インピーダンスが高い場合には、定電流回路から電圧測定回路入力に大きいクランプ電圧を加えることで、身体内のインピーダンスに発生する測定電圧と判定できることとし、これにより誤測定を防止するものである。つまり、接触インピーダンスが適正な値であるかにより、接触状態を判定している（例えば、特許文献１）。
【０００８】
また、接触インピーダンスの大きさを判定することにより、測定状態の適否を判定するものもある（例えば、特許文献２）。
【０００９】
また、充分な接触状態が得られやすいように、測定時に接触させる電極内部に計測開始スイッチを設ける技術が提案されている。これにより正しい測定姿勢・接触状態が得られるとしている（例えば、特許文献３）。
【００１０】
また、生体電気インピーダンス測定に用いる全ての電極を電流供給電極として、各電極の接続を切り替えながら定電流Ｉを流すことで、接触抵抗を含む身体内インピーダンス値と接触抵抗値を含む身体内インピーダンスのみを求める方法が提案されている（例えば、特許文献４）。
【００１１】
また、生体電気インピーダンス測定の測定電流経路に、測定される生体電気インピーダンス値を適当に分割し得る複数の既知抵抗値の基準抵抗群を生体と直列接続し、基準抵抗群の複数の抵抗値による電圧降下値と生体による電圧降下値を測定し、複数の抵抗値とそれに対応した複数の測定電圧値とにより両者間の相関式を決定し、測定によって得られた生体の測定電圧値と相関式を用いて生体電気インピーダンス値を求めるインピーダンス測定法が開示されている（例えば特許文献５）。
【特許文献１】特開平８−１５４９１０号公報
【特許文献２】特開２００３−５２６５８号公報
【特許文献３】特開平１０−１７４６８０号公報
【特許文献４】特開２００３−１８０６４７号公報
【特許文献５】特許第２８３５６５６号公報
【発明の開示】
【発明が解決しようとする課題】
【００１２】
生体電気インピーダンス測定において、測定が確実に行われるためには、生体と電極との接触が良好でなければならない。そのため、背景技術に示したように、従来から生体電気インピーダンス測定における電極の接触状態をチェックする方法が提案されているが、それらは、測定しようとする部位の生体電気インピーダンスの測定とは別に、チェックを行うものである。つまり、両足間の測定をするために、足の裏と電極との接触インピーダンスを測定し、その結果が良好であれば、接触状態は正常として両足間の生体電気インピーダンスを測定するものである。そのため、測定までに、幾つかの判定処理を行うことになり、結果的に測定時間が長いものとなる。
【００１３】
そのため一般的に実際に行われている電極の接触状態の判定法は、測定された生体電気インピーダンスの絶対値が、ある値以内に収まっているか否かで接触状態が十分であるか、あるいはショートしている可能性があるかを判定している。
【００１４】
しかし、充分な接触が得られていない状況でも、測定可能な状況と誤認識し、測定が実行されてしまうことがあった。
【００１５】
図９は、生体電気インピーダンス測定部のブロック図を示すものである。
【００１６】
ＺＲは、背景技術に示したインピーダンス測定法（特許第２８３５６５６号公報参照）における複数の既知抵抗値の基準抵抗群にあたる基準インピーダンスであり、ＺＢは測定する生体のインピーダンスである。ａ，ｂが電流供給電極、ｃ，ｄが電圧測定電極である。ｉｃは測定電流である。
【００１７】
通常、測定時には測定電流ｉｃは、基準インピーダンスＺＲ、生体インピーダンスＺＢ共に問題なく流れ、それぞれの複素電圧ＶＲ、ＶＢともに測定可能である。
【００１８】
仮に電流供給電極ａ，ｂのどちらかあるいは両方ともに、生体が正常に接触していない場合には、測定回路はオープン状態となりＶＲもＶＢも０となり測定不可能である。この時、アンプの同相入力除去特性（ＣＭＲＲ）に応じた極小さな電圧が測定結果として得られ、理想的には０となる。
【００１９】
また、電圧測定電極ｃ，ｄのどちらかあるいは両方とも生体に正常に接触していない場合には、ＶＲは測定できるものの、ＶＢは測定不可となり値が定まらない。
【００２０】
このような場合のチェックとして、２００Ω＜｜Ｚ｜＜１０００Ωのようにインピーダンスの適正範囲を設けることで、電極の接触状態を判定しているが、場合によっては２００Ωを少し越えた位の値で安定してしまうことがあった。
【００２１】
これは現実にはアンプの保護回路（静電気対策のダイオードなど）や浮遊容量（電極間容量など）によって、接触が不良な端子の電圧が生じてしまっていたためであると考えられる。例えば、図９（ｂ）に示すように電圧測定電極ｃがオープンの場合（接触不良の場合）、電圧測定電極ｃとｄの間に電極間容量が生じ、本来測定されない電圧が発生していると考えられる。従って接触が不良な状況であっても、従来のインピーダンス値の適正範囲による接触判定法では、正常範囲に収まっているために誤判定して、そのまま測定を継続し、誤った演算結果を表示してしまうことがあった。
【００２２】
本発明はこのような問題点を鑑みてなされるものであり、生体電気インピーダンス測定において、測定時に用いる電極と生体との接触が正常であるかをより正確に判定することであり、それにより、正確な生体電気インピーダンス測定を行うことができる装置を提供することである。
【課題を解決するための手段】
【００２３】
本発明は生体に接触する電極を含む生体電気インピーダンスを測定するためのインピーダンス測定手段を備える生体電気インピーダンス測定装置において、
生体の位相差に関するパラメータを用いて前記電極と生体との接触状態を判定する判定手段を備えることとする。
【００２４】
また、本発明の生体電気インピーダンス測定装置では、前記インピーダンス測定手段において測定される生体電気インピーダンスにおける抵抗成分をＲ、リアクタンス成分をＸとすると、前記生体の位相差に関するパラメータはＸ／Ｒで示される値を用いることとする。
【００２５】
また、本発明の生体電気インピーダンス測定装置では、前記判定手段における接触判定の条件は、
ａ＜Ｘ／Ｒ＜ｂ
（但しａ，ｂは実数）
であることとする。
【００２６】
また、本発明の生体電気インピーダンス測定装置では、前記判定手段は、位相差に関するパラメータを用いて電極と生体との接触状態を判定する前に、更に前記インピーダンス測定手段で測定される生体電気インピーダンスの抵抗成分に関するパラメータが正の値であるかを判定することで接触状態を判定することとする。
【００２７】
また、本発明の生体電気インピーダンス測定装置では、前記抵抗成分に関するパラメータは真のインピーダンスの抵抗成分を表す真インピーダンス成分変数であることとする。
【００２８】
また、本発明の生体電気インピーダンス測定装置では、前記抵抗成分に関するパラメータは抵抗成分に基因する電圧を表す実測電圧変数であることとする。
【発明の効果】
【００２９】
本発明の生体電気インピーダンス測定装置では、生体電気インピーダンスの測定時に使用する電極と生体との接触状態の判定において、生体の位相差に関するパラメータを用いるので、従来と比べてより正確に接触状態を判定することができる。これにより、生体電気インピーダンス値の測定は正確なものとなり、その生体電気インピーダンス値を用いて演算される体脂肪率や筋肉量といった体組成の値も正確なものとなる。
【００３０】
また、本発明の生体電気インピーダンス測定装置では、生体電気インピーダンスの測定時に使用する電極と生体との接触状態の判定において、測定される生体電気インピーダンスにおける抵抗成分をＲ、リアクタンス成分をＸとしたとき、Ｘ／Ｒで示される値を判定に用いるが、この値は電極の接触が異常な場合には、生体のその値とは大きくかけ離れた値を示すため、簡単に、かつ正確に接触状態を判定することが可能となる。
【００３１】
また、本発明の生体電気インピーダンス測定装置では、ａ＜Ｘ／Ｒ＜ｂ（ただし、ａ，ｂは実数）という条件を設け、算出された値がその範囲内であるかにより接触状態の判定を行うので、その範囲外の場合には接触不良であると簡単に接触状態の判定を行うことができる。
【００３２】
また、本発明の生体電気インピーダンス測定装置では、更に位相差に関するパラメータを用いて電極と生体との接触状態を判定する前に、測定される生体電気インピーダンスの抵抗成分に関するパラメータが正の値であるかを判定するので、位相差に関するパラメータを用いた電極と生体との接触チェックの演算を行うまでもなく、接触の異常をチェックすることが可能となる。
【００３３】
また、本発明の生体電気インピーダンス測定装置では、測定される生体電気インピーダンスの抵抗成分に関するパラメータに真のインピーダンスの抵抗成分を表す真インピーダンス成分変数ＲＢを用いるので、位相差に関するパラメータを用いた電極と生体との接触チェックの演算を行うまでもなく、真インピーダンス成分変数ＲＢが演算された時点で接触状態を判定でき、ここで接触不良の判定の場合には、この時点で位相差に関するパラメータを用いた判定結果が解り、接触状態の判定に要する時間を大幅に削減できる。
【００３４】
また、本発明の生体電気インピーダンス測定装置では、測定される生体電気インピーダンスの抵抗成分に関するパラメータに抵抗成分に基因する電圧を表す実測電圧変数ＶＢＲを用いるので、位相差に関するパラメータを用いた電極と生体との接触チェックの演算をするまでもなく、生体において測定された電圧値そのものの値から接触状態を判定でき、ここで接触不良の判定の場合には、この時点で位相差に関するパラメータを用いた判定結果が解り、接触状態の判定に要する時間を大幅に削減できる。
【発明を実施するための最良の形態】
【００３５】
本発明の生体電気インピーダンス測定装置では、生体電気インピーダンスの測定時に使用する電極と生体との接触状態の判定に、位相差に関するパラメータを用いることで、従来から行われている判定法よりも正確に接触状態を判定することとする。
【００３６】
この位相差に関するパラメータとしては、測定される生体電気インピーダンスにおける抵抗（レジスタンス）成分をＲ、リアクタンス成分をＸとしたとき、Ｘ／Ｒで示される値を用い、条件として、ａ＜Ｘ／Ｒ＜ｂ（ただし、ａ，ｂは実数）といった判定条件を設けて、この範囲外のときには、電極と生体との接触が異常であると判定する。
【００３７】
また、位相差の関するパラメータを用いた接触状態の判定に加え、測定される生体電気インピーダンスの抵抗成分に関するパラメータが正の値であるかを判定するものとする。このチェックにおいて値が負である場合には、後の位相差に関するパラメータを用いた接触状態の判定において、接触不良と判定されることが決まっており、従って、この生体電気インピーダンスの抵抗成分に関するパラメータの正負の判定だけでも、接触不良を判定することができる。ここで用いる生体電気インピーダンスの抵抗成分に関するパラメータは真のインピーダンスの抵抗成分を表す真インピーダンス成分変数ＲＢでよく、また、抵抗成分に基因する電圧を表す実測電圧変数ＶＢＲでもよい。
【実施例１】
【００３８】
本発明の実施例を図面を用いて説明する。
【００３９】
図１は本発明の生体電気インピーダンス測定装置を用いた体脂肪計のブロック図である。
【００４０】
この体脂肪計内の生体電気インピーダンス測定装置は、ソフト的処理によって、実測される生体のインピーダンスを抵抗成分とリアクタンス成分とに分離して、生体のより正確なインピーダンスを求めるものである。
【００４１】
体脂肪計は、測定手段１と記憶部２と、マイコン３と、表示部４とを備える。
【００４２】
測定手段１においては、生体５、外部基準器６又は内部基準器７についてのインピーダンスに基因する電圧を測定する。そして、この測定手段１は、定電圧（正弦波交流）発生器８、電圧／電流変換器９、内部基準器７、電極Ａ１０、電極Ｂ１１、切替器１２、増幅器１３、フィルタ１４及びＡ／Ｄ変換器（同期検波方式）１５から成る。
【００４３】
定電圧（正弦波交流）発生器８は、高周波（例えば５０ｋＨｚ）の定電圧を発生し、電圧／電流変換器９に出力する。電圧／電流変換器９は、定電圧（正弦波交流）発生器８から受けた定電圧を定電流に変換し、内部基準器７に出力する。
【００４４】
内部基準器７は、環境等の温度変化の原因により、定電圧（正弦波交流）発生器８や電圧／電流変換器９からの定電流の変化がもたらすインピーダンスの影響を補正するための基準となるインピーダンスである。この内部基準器７は、従来の技術で引用したインピーダンス測定法（特許第２８３５６５６号公報参照）における複数の既知抵抗値の基準抵抗群にあたるものである。本件においては、この内部基準器７には、一つの既知基準抵抗を用いる。
【００４５】
電極Ａ１０は、電圧／電流変換器９から内部基準器７を経た定電流を生体５又は外部基準器６に発生する電圧を検出するための端子である。
【００４６】
切替器１２は、定電流が内部基準器７に流れたことにより内部基準器７に発生する電圧と、定電流が２つの電極Ｂ１１間の生体５又は外部基準器６に流れたことにより２つの電極Ｂ１１間に発生する電圧との検出を切り替える。
【００４７】
増幅器１３は、切替器１２を経た内部基準器７のインピーダンスに基因する電圧、又は生体５若しくは外部基準器６のインピーダンスに基因する電圧を増幅する。フィルタ１４は、増幅器１３で増幅された電圧のノイズ成分を除去する。
【００４８】
Ａ／Ｄ変換器（同期検波方式）１５は、フィルタ１４でノイズ成分が除去された電圧（アナログ）をデジタル変換すると共に、定電圧（正弦波交流）発生器８からの正弦波発生のタイミング信号に基づいて、内部基準器７又は生体５若しくは外部基準器６の抵抗成分に基因する電圧とリアクタンス成分に基因する電圧とに分離してマイコン３に出力する。
【００４９】
記憶部２においては、演算式記憶手段１７及び変動定数記憶手段１８を有すると共に、各種演算の際の一時的な記憶その他の公知の如き記憶を行う。なお、記憶部２には、ＥＥＰＲＯＭを用いる。
【００５０】
演算式記憶手段１７は、測定手段１に生じるインピーダンス変動要因に基づく変動を表す変動変数と、実測によるインピーダンスの抵抗成分に基因する電圧及びリアクタンス成分に基因する電圧を表す実測電圧変数とに、生体５又は外部基準器６の真のインピーダンスの抵抗成分及びリアクタンス成分を表す真インピーダンス変数を対応させたインピーダンス演算式を予め記憶する。
【００５１】
なお、インピーダンス演算式は、測定手段１に生じるインピーダンス変動要因に基づく変動を考慮した図２の測定手段１における回路モデルに基づいて後述する数１の式である。
【００５２】
図２の各部は、測定手段１に生じる位相変動成分をＨ（θ）、電圧／電流変換器９のインピーダンスをＺｉ、内部基準器７のインピーダンスをＺＲ、浮遊容量等によるインピーダンスをＺＳ、生体５又は外部基準器６のインピーダンスをＺＢ、内部基準器７と生体５（又は外部基準器６）とにかけて生ずる電圧をＶＯ、内部基準器７のインピーダンス成分で生ずる電圧をＶＲ、生体５又は外部基準器６のインピーダンス成分で生ずる電圧をＶＢで表す。
【００５３】
この回路モデルによると、生体５又は外部基準器６のインピーダンスは、ＺＢ＝ＶＢ（１−ＺＲ／ＺＳ）ＺＲ／ＶＲ＝ＣＶＢ／ＶＲの式となる。ここでＣは、スケールファクター及び位相に基づく変動を表す変動変数となる。そして、この式に、主にＺＳに起因するオフセット電圧に基づく変動を表す変動変数ＶＯＳを考慮すると共に、各変数を抵抗成分及びリアクタンス成分に分解する（ＺＢを生体５又は外部基準器６の真のインピーダンスの抵抗成分を表す真インピーダンス成分変数ＲＢとリアクタンス成分を表す真インピーダンス成分変数ＸＢとし、Ｃを抵抗成分のスケールファクター及び位相に基づく変動を表す変動変数ＣＲとリアクタンス成分のスケールファクター及び位相に基づく変動を表す変動変数ＣＸとし、ＶＢを生体５又は外部基準器６の抵抗成分に基因する電圧を表す実測電圧変数ＶＢＲとリアクタンス成分に基因する電圧を表す実測電圧変数ＶＢＸとし、ＶＲを内部基準器７の抵抗成分に基因する電圧を表す実測電圧変数ＶＲＲとリアクタンス成分に基因する電圧を表す実測電圧変数ＶＲＸとし、ＶＯＳを抵抗成分軸方向へのオフセット電圧に基づく変動を表す変動変数ＶＯＳＲとリアクタンス成分軸方向に対するオフセット電圧に基づく変動を表す変動変数ＶＯＳＸとする。）ことで数１の式が導かれる。
【００５４】
【数１】
2005080720.tif 000003
【００５５】
この数１の式におけるスケールファクター及び位相に基づく変動を表す変動変数ＣＲ、ＣＸ、オフセット電圧に基づく変動を表す変動変数ＶＯＳＲ、ＶＯＳＸは、測定手段１に生じるインピーダンス変動要因に基づく変動を表す変動変数に該当する。
【００５６】
図３は、インピーダンスの抵抗成分及びリアクタンス成分の関係を座標に表す図である。縦軸Ｘはリアクタンス成分を、横軸Ｒは抵抗成分を、点Ｚはインピーダンスを、座標交点Ｏは零地点を、偏角θは位相差を表す。スケールファクター及び位相に基づく変動を示す変動変数ＣＲ、ＣＸは、線分ＯＺ方向の変動及び偏角θの変動についての変数を表し、オフセット電圧に基づく変動を表す変動変数ＶＯＳＲ、ＶＯＳＸは、座標交点Ｏの変動についての変数を表すものである。
【００５７】
変動定数記憶手段１８は、後述する変動定数演算手段１９で演算される変動定数を記憶する。
【００５８】
マイコン３においては、分離手段１６、変動定数演算手段１９及び生体インピーダンス演算手段２０を有する共に、定電圧（正弦波交流）発生器８からの高周波の定電圧の発生の制御その他の公知の如き制御を行う。また、図には記載しないが、一時的にデータを記憶するＲＡＭや、一定時間を計測するタイマ機能といったマイコンの一般的な機能も備えるものである。
【００５９】
分離手段１６は、Ａ／Ｄ変換器１５から出力されたインピーダンスに基因する電圧と、定電圧（正弦波交流）発生器８から発生される正弦波の周期と同じ又は９０゜進む周期を時分割した振幅とに基づいて、内部基準器７又は生体５若しくは外部基準器６の実測による抵抗成分に基因する電圧とリアクタンス成分に基因する電圧とを演算する。
【００６０】
変動定数演算手段１９は、内部基準器７及び外部基準器６の測定によって分離手段１６で演算により分離された抵抗成分に基因する電圧とリアクタンス成分に基因する電圧と、測定手段１で測定される外部基準器６のインピーダンスの既知の抵抗成分及びリアクタンス成分とに基づいて、演算式記憶手段１７に予め記憶されるインピーダンス演算式（数１の式）から変動変数の定数である変動定数を演算する。
【００６１】
生体インピーダンス演算手段２０は、変動定数記憶手段１８で記憶される変動定数と、測定手段１で測定され、分離手段１６で分離される生体５のインピーダンスの抵抗成分に基因する電圧及びリアクタンス成分に基因する電圧とを、演算式記憶手段１７に予め記憶されるインピーダンス演算式（数１の式）に代入し、生体５の真のインピーダンスの抵抗成分及びリアクタンス成分を演算する。
【００６２】
表示部４は、生体インピーダンス演算手段２０で演算された結果を表示する。
【００６３】
入力手段２１は、体脂肪計に対してキー入力を行うものであり、設定スイッチ、測定スイッチ、数値スイッチといった複数のスイッチからなる。
【００６４】
次に本実施例に係わる体脂肪計の使用及び動作の流れについて、図４に示すフローチャートを参照して説明する。
【００６５】
体脂肪計の電源がオンされると（ステップＳ１）、マイコン３からの制御により、各部の接続やＲＡＭの値を初期化する（ステップＳ２）。
【００６６】
ここで、表示部４には測定者の性別、身長、体重を入力するよう表示部４に表示される（ステップＳ３）。入力手段２１の設定スイッチが押されると（ステップＳ４）、個人情報入力状態となり、測定者は数値スイッチを用いて性別、身長、体重といった個人情報を入力する（ステップＳ５）。
【００６７】
ステップＳ４で設定スイッチが押されず、測定スイッチが押されると（ステップＳ６）、
生体インピーダンスの測定状態となると共に、マイコン内のタイマがスタートする（ステップＳ７）。この生体電気インピーダンス測定ルーチンについては後述する。
【００６８】
生体電気インピーダンスの測定が行われたら、その測定値から、電極と生体が正常に接触しているかを判定する、接触状態判定ルーチンになる（ステップＳ８）。この接触状態判定ルーチンについては後述する。
【００６９】
接触状態判定ルーチンにおいて、接触状態が正常であったかを確認するために、接触正常回数を意味する接触正常回数ｉの値を確認し（ステップＳ９）、接触が不良であった場合には、生体電気インピーダンスの測定状態となってから３０秒が経過したかを、マイコン３内のタイマからチェックする（ステップＳ１０）。ここで３０秒の経過前であれば、ステップＳ７の生体電気インピーダンス測定ルーチンへ戻り測定を継続し、３０秒が経過している場合には、今回は正確な測定が行われなかったとし、表示部４にエラーを表示する（ステップＳ１１）。
【００７０】
ステップＳ９において接触状態が正常であった場合には、接触正常の判定が連続して６回起きたかを判定する。マイコン３内のＲＡＭに記憶された接触正常回数を意味するｉの値が６であるかをチェックし（ステップＳ１２）、まだ６回未満であればステップＳ７に戻り生体電気インピーダンス測定を継続する。６回を超えている場合には、確実に接触状態が正常であると判断して、体脂肪率の計算を行い（ステップＳ１３）、その結果を表示部４に表示する（ステップＳ１４）。
【００７１】
ステップＳ１１のエラー表示、及びステップＳ１４の測定結果表示の後、一定時間が経過することで表示は消灯し、体脂肪計の電源も自動的にオフとなる（ステップＳ１５）。
【００７２】
次にステップＳ７の生体電気インピーダンス測定ルーチンについて説明する。
まず、図１に示すように、生体インピーダンスの測定範囲の下限に該当する既知のインピーダンス（例えば、Ｒ＝１００Ω、Ｘ＝０Ω）である外部基準器６を電極Ａ１０及び電極Ｂ１１に接続する（ステップＳ２１）。
【００７３】
続いて、マイコン３からの制御により定電圧（正弦波交流）発生器８から高周波（例えば、５０kHz）の定電圧を発生し、電圧／電流変換器９でこの高周波の定電圧を定電流に変換し、内部基準器７へと出力する。次いで、切替器１２を既知のインピーダンス（例えば、Ｒ＝８００Ω、Ｘ＝０Ω）である内部基準器７側と接続し、この内部基準器７に生じる電圧を検出し、この電圧を増幅器１３で増幅し、この増幅された電圧のノイズ成分をフィルタ１４で除去し、この除去された電圧（アナログ）をＡ／Ｄ変換器１５でデジタル信号に変換してマイコン３内の分離手段１６に出力する。
【００７４】
次いで、マイコン３内の分離手段１６において、図５のフローチャートに示す処理を行い、内部基準器７の実測によるインピーダンスの抵抗成分に基因する電圧とリアクタンス成分に基因する電圧とを演算する（ステップＳ２２）。
【００７５】
このステップＳ２２における処理を図６を用いてより具体的に詳述する。分離手段１６におけるＲ成分電圧及びＸ成分電圧の各積算バッファをクリア（ステップＳ４１）しておき、分離手段１６における積算カウンタをｎ＝０（ステップＳ４２）とし、割り込み発生状態（ステップＳ４３）とした上で、まず、上述したＡ／Ｄ変換器１５が実行されて（ステップＳ４４）、そのＡ／Ｄ変換器１５から出力されたデジタル信号であるインピーダンスに基因する電圧（Ｖ（ｔ））を取り込む（ステップＳ４５）。次に、定電圧（正弦波交流）発生器２４から発生される正弦波の周期と同じ周期を時分割した振幅（ｓｉｎθ１）をマイコン３内のＲＯＭテーブルから読み込む（ステップＳ４６）。次に、取り込んだ内部基準器７の実測によるインピーダンスに基因する電圧（Ｖ（ｔ））と、マイコン３内のＲＯＭテーブルから読み込んだ定電圧（正弦波交流）発生器８から発生される正弦波の周期と同じ周期を時分割した振幅（ｓｉｎθ１）を乗算し（ステップＳ４７）、Ｒ成分電圧積算バッファに加算する（ステップＳ４８）。次に、定電圧（正弦波交流）発生器８から発生される正弦波の周期より９０゜進む周期を時分割した振幅（ｃｏｓθ１）をマイコン３内のＲＯＭテーブルから読み込む（ステップＳ４９）。次に、取り込んだ内部基準器７の実測によるインピーダンスに基因する電圧（Ｖ（ｔ））と、マイコン３内のＲＯＭテーブルから読み込んだ定電圧（正弦波交流）発生器８から発生される正弦波の周期より９０゜進む周期を時分割した振幅（ｃｏｓθ１）を乗算し（ステップＳ５０）、Ｘ成分電圧積算バッファに加算する（ステップＳ５１）。次に、積算カウンタがｎ＜３２であれば（ステップＳ５２でＹＥＳ）、積算カウンタをｎ＝ｎ＋１として（ステップＳ５３）、ステップＳ４３に戻り処理を繰り返す。なお、その際におけるステップＳ４６及びステップＳ４９では、時分割した振幅ｓｉｎθｉ、ｃｏｓθｉのｉが順次繰り上がったものが読み込まれる。一方、積算カウンタがｎ＜３２でなければ（ステップＳ５２でＮＯ）、Ｒ成分電圧及びＸ成分電圧積算バッファに積算された実測電圧変数ＶＲＲ及びＶＲＸを記憶部２に一時的に記憶する（ステップＳ５４）。
【００７６】
続いて、切替器１２を内部基準器７側から外部基準器６（Ｒ＝１００Ω、Ｘ＝０Ω）側へと接続を切替え、この外部基準器６に生じる電圧を検出し、増幅器１３でこの電圧を増幅し、フィルタ１４でこの増幅された電圧のノイズ成分を除去し、この除去された電圧（アナログ）をＡ／Ｄ変換器１５でデジタル信号に変換してマイコン３内の分離手段１６に出力する。
【００７７】
次いで、マイコン３内の分離手段１６において、図６のフローチャートに示す処理を行い、外部基準器６の実測によるインピーダンスの抵抗成分に基因する電圧とリアクタンス成分に基因する電圧とを演算する（ステップＳ２３）。
【００７８】
このステップＳ２３における処理を図６を用いてより具体的に詳述する。分離手段１６におけるＲ成分電圧及びＸ成分電圧の各積算バッファをクリア（ステップＳ４１）しておき、分離手段１６における積算カウンタをｎ＝０（ステップＳ４２）とし、割り込み発生状態（ステップＳ４３）とした上で、まず、上述したＡ／Ｄ変換器１５が実行されて（ステップＳ４４）、そのＡ／Ｄ変換器１５から出力されたデジタル信号であるインピーダンスに基因する電圧（Ｖ（ｔ））を取り込む（ステップＳ４５）。次に、定電圧（正弦波交流）発生器８から発生される正弦波の周期と同じ周期を時分割した振幅（ｓｉｎθ１）をマイコン３内のＲＯＭテーブルから読み込む（ステップＳ４６）。次に、取り込んだ外部基準器６の実測によるインピーダンスに基因する電圧（Ｖ（ｔ））と、マイコン３内のＲＯＭテーブルから読み込んだ定電圧（正弦波交流）発生器８から発生される正弦波の周期と同じ周期を時分割した振幅（ｓｉｎθ１）を乗算し（ステップＳ４７）、Ｒ成分電圧積算バッファに加算する（ステップＳ４８）。次に、定電圧（正弦波交流）発生器８から発生される正弦波の周期より９０゜進む周期を時分割した振幅（ｃｏｓθ１）をマイコン３内のＲＯＭテーブルから読み込む（ステップＳ４９）。次に、取り込んだ外部基準器６の実測によるインピーダンスに基因する電圧（Ｖ（ｔ））と、マイコン３内のＲＯＭテーブルから読み込んだ定電圧（正弦波交流）発生器８から発生される正弦波の周期より９０゜進む周期を時分割した振幅（ｃｏｓθ１）を乗算し（ステップＳ５０）、Ｘ成分電圧積算バッファに加算する（ステップＳ５１）。次に、積算カウンタがｎ＜３２であれば（ステップＳ５２でＹＥＳ）、積算カウンタをｎ＝ｎ＋１として（ステップＳ５３）、ステップＳ４３に戻り処理を繰り返す。なお、その際におけるステップＳ４６及びステップＳ４９では、時分割した振幅ｓｉｎθｉ、ｃｏｓθｉのｉが順次繰り上がったものが読み込まれる。一方、積算カウンタがｎ＜３２でなければ（ステップＳ５２でＮＯ）、Ｒ成分電圧及びＸ成分電圧積算バッファに積算された実測電圧変数ＶＢＲ及びＶＢＸを記憶部２に一時的に記憶する（ステップＳ５４）。
【００７９】
続いて、電極Ａ１０及び電極Ｂ１１への接続を、生体インピーダンスの測定範囲の下限に該当する既知のインピーダンス（例えば、Ｒ＝１００Ω、Ｘ＝０Ω）である外部基準器６から、生体インピーダンスの測定範囲の上限に該当する既知のインピーダンス（例えば、Ｒ＝８００Ω、Ｘ＝０Ω）である外部基準器６に替える（ステップＳ２４）。
【００８０】
続いて、ステップＳ２２と同様の処理を行い、内部基準器７の抵抗成分に基因する電圧とリアクタンス成分に基因する電圧とを記憶部２に一時的に記憶する（ステップＳ２５）。
【００８１】
続いて、ステップＳ２３と同様の処理を行い、生体インピーダンスの測定範囲の上限に該当する既知のインピーダンス（例えば、Ｒ＝８００Ω、Ｘ＝０Ω）である外部基準器６の抵抗成分に基因する電圧とリアクタンス成分に基因する電圧とを記憶部２に一時的に記憶する（ステップＳ２６）。
【００８２】
続いて、変動定数演算手段１９において、まず、ステップＳ２３で記憶部２に一時的に記憶されている抵抗成分に基因する電圧及びリアクタンス成分に基因する電圧と、ステップＳ２１で電極Ａ１０及び電極Ｂ１１に接続された外部基準器６のインピーダンスの抵抗成分及びリアクタンス成分を数１の式に代入して第１式とする。より具体的に詳述すると、数１の式の実測電圧変数ＶＲＲに、外部基準器６（Ｒ＝１００Ω、Ｘ＝０Ω）の接続時における内部基準器（Ｒ＝８００Ω、Ｘ＝０Ω）７の抵抗成分（Ｒ＝８００Ω）に基因する電圧を代入し、実測電圧変数ＶＲＸに、外部基準器６（Ｒ＝１００Ω、Ｘ＝０Ω）の接続時における内部基準器（Ｒ＝８００Ω、Ｘ＝０Ω）７のリアクタンス成分（Ｘ＝０Ω）に基因する電圧を代入し、実測電圧変数ＶＢＲに、外部基準器６（Ｒ＝１００Ω、Ｘ＝０Ω）の接続時におけるこの外部基準器６の抵抗成分（Ｒ＝１００Ω）に基因する電圧を代入し、実測電圧変数ＶＢＸに、外部基準器６（Ｒ＝１００Ω、Ｘ＝０Ω）の接続時におけるこの外部基準器６のリアクタンス成分（Ｘ＝０Ω）に基因する電圧を代入し、真インピーダンス成分変数ＲＢに、外部基準器６（Ｒ＝１００Ω、Ｘ＝０Ω）の接続時におけるこの外部基準器６の抵抗成分（Ｒ＝１００Ω）を代入し、真インピーダンス成分変数ＸＢに、外部基準器６（Ｒ＝１００Ω、Ｘ＝０Ω）の接続時におけるこの外部基準器６のリアクタンス成分（Ｘ＝０Ω）を代入し、第１式とする。
【００８３】
次に、ステップＳ２６で記憶部２に一時的に記憶されている抵抗成分に基因する電圧及びリアクタンス成分に基因する電圧と、ステップＳ２４で電極Ａ１０及び電極Ｂ１１に接続された外部基準器６のインピーダンスの抵抗成分及びリアクタンス成分を数１の式に代入して第２式とする。より具体的に詳述すると、数１の式の実測電圧変数ＶＲＲに、外部基準器６（Ｒ＝８００Ω、Ｘ＝０Ω）の接続時における内部基準器（Ｒ＝８００Ω、Ｘ＝０Ω）７の抵抗成分（Ｒ＝８００Ω）に基因する電圧を代入し、実測電圧変数ＶＲＸに、外部基準器６（Ｒ＝８００Ω、Ｘ＝０Ω）の接続時における内部基準器（Ｒ＝８００Ω、Ｘ＝０Ω）７のリアクタンス成分（Ｘ＝０Ω）に基因する電圧を代入し、実測電圧変数ＶＢＲに、外部基準器６（Ｒ＝８００Ω、Ｘ＝０Ω）の接続時におけるこの外部基準器６の抵抗成分（Ｒ＝８００Ω）に基因する電圧を代入し、実測電圧変数ＶＢＸに、外部基準器６（Ｒ＝８００Ω、Ｘ＝０Ω）の接続時におけるこの外部基準器６のリアクタンス成分（Ｘ＝０Ω）に基因する電圧を代入し、真インピーダンス成分変数ＲＢに、外部基準器６（Ｒ＝８００Ω、Ｘ＝０Ω）の接続時におけるこの外部基準器６の抵抗成分（Ｒ＝８００Ω）を代入し、真インピーダンス成分変数ＸＢに、外部基準器６（Ｒ＝８００Ω、Ｘ＝０Ω）の接続時におけるこの外部基準器６のリアクタンス成分（Ｘ＝０Ω）を代入し、第２式とする。
【００８４】
そして、第１式と第２式とを連立方程式で解くことにより、変動変数ＣＲ、ＣＸのそれぞれの定数（変動定数）、実測電圧変数ＶＯＳＲ、ＶＯＳＸのそれぞれの定数（変動定数）を求める（ステップＳ２７）。
【００８５】
続いて、変動定数記憶手段１８でこれらの求められた変動定数を以後継続的に記憶する（ステップＳ２８）。なお、記憶部２に一時的に記憶されたこれまでの各抵抗成分に基因する電圧と各リアクタンス成分に基因する電圧とは、以後記憶を消去しても良い。
【００８６】
続いて、図１に示すように、生体５の一部位を電極Ａ１０及び電極Ｂ１１に接続する（ステップＳ２９）。
【００８７】
続いて、ステップＳ２２と同様の処理を行い、内部基準器７の抵抗成分に基因する電圧とリアクタンス成分に基因する電圧とを記憶部２に一時的に記憶する（ステップＳ３０）。
【００８８】
続いて、切替器１２を内部基準器７側から生体５側へと接続を切替え、この生体５に生じる電圧を検出し、この電圧を増幅器１３で増幅し、この増幅された電圧のノイズ成分をフィルタ１４で除去し、この除去された電圧（アナログ）をＡ／Ｄ変換器１５でデジタル信号に変換してマイコン３内の分離手段１６に出力する。
【００８９】
次いで、マイコン３内の分離手段１６において、図５のフローチャートに示すような処理を行い、生体５の実測による抵抗成分に基因する電圧とリアクタンス成分に基因する電圧とを演算する（ステップＳ３１）。
【００９０】
このステップＳ３１における処理を図６を用いてより具体的に詳述する。分離手段１６におけるＲ成分電圧及びＸ成分電圧の各積算バッファをクリア（ステップＳ４１）しておき、分離手段１６における積算カウンタをｎ＝０（ステップＳ４２）とし、割り込み発生状態（ステップＳ４３）とした上で、まず、上述したＡ／Ｄ変換器１５が実行されて（ステップＳ４４）、そのＡ／Ｄ変換器１５から出力されたデジタル信号であるインピーダンスに基因する電圧（Ｖ（ｔ））を取り込む（ステップＳ４５）。次に、定電圧（正弦波交流）発生器８から発生される正弦波の周期と同じ周期を時分割した振幅（ｓｉｎθ１）をマイコン３内のＲＯＭテーブルから読み込む（ステップＳ４６）。次に、取り込んだ生体５の実測によるインピーダンスに基因する電圧（Ｖ（ｔ））と、マイコン３内のＲＯＭテーブルから読み込んだ定電圧（正弦波交流）発生器８から発生される正弦波の周期と同じ周期を時分割した振幅（ｓｉｎθ１）を乗算し（ステップＳ４７）、Ｒ成分電圧積算バッファに加算する（ステップＳ４８）。次に、定電圧（正弦波交流）発生器８から発生される正弦波の周期より９０゜進む周期を時分割した振幅（ｃｏｓθ１）をマイコン３内のＲＯＭテーブルから読み込む（ステップＳ４９）。次に、取り込んだ生体５の実測によるインピーダンスに基因する電圧（Ｖ（ｔ））と、マイコン３内のＲＯＭテーブルから読み込んだ定電圧（正弦波交流）発生器８から発生される正弦波の周期より９０゜進む周期を時分割した振幅（ｃｏｓθ１）を乗算し（ステップＳ５０）、Ｘ成分電圧積算バッファに加算する（ステップＳ５１）。次に、積算カウンタがｎ＜３２であれば（ステップＳ５２でＹＥＳ）、積算カウンタをｎ＝ｎ＋１として（ステップＳ５３）、ステップＳ４３に戻り処理を繰り返す。なお、その際におけるステップＳ４６及びステップＳ４９では、時分割した振幅ｓｉｎθｉ、ｃｏｓθｉのｉが順次繰り上がったものが読み込まれる。一方、積算カウンタがｎ＜３２でなければ（ステップＳ５２でＮＯ）、Ｒ成分電圧及びＸ成分電圧積算バッファに積算された実測電圧変数ＶＢＲ及びＶＢＸを生体インピーダンス演算手段２０に出力する（ステップＳ５４）。
【００９１】
続いて、生体インピーダンス演算手段２０において、演算式記憶手段１７に記憶される数１の式に、この出力された生体５の抵抗成分に基因する電圧及びリアクタンス成分に基因する電圧と、変動定数記憶手段１８に記憶される変動定数と代入して、生体５の真のインピーダンスの抵抗成分ＲＢと生体５の真のインピーダンスのリアクタンス成分ＸＢとを演算する。より具体的に詳述すると、数１の式の実測電圧変数ＶＢＲに、分離手段１６で分離された生体５の抵抗成分に基因する電圧を代入し、実測電圧変数ＶＢＸに、生体５のリアクタンス成分に基因する電圧を代入し、実測電圧変数ＶＲＲに、ステップＳ３１で記憶部２に一時的に記憶される内部基準器７の抵抗成分に基因する電圧を代入し、実測電圧変数ＶＲＸに、内部基準器７のリアクタンス成分に基因する電圧を代入し、変動変数ＣＲ、ＣＸに、ステップＳ２８で変動定数記憶手段１８に記憶される各変動定数を代入し、変動変数ＶＯＳＲ、ＶＯＳＸに、オフセット電圧を補正する各変動定数を代入することにより、生体５の真のインピーダンスの抵抗成分ＲＢと生体５の真のインピーダンスのリアクタンス成分ＸＢとを演算して出力する（ステップＳ３２）。
【００９２】
一連の処理手順が終了する。
【００９３】
上述したように、本発明の生体インピーダンス測定装置は、測定手段により測定対象（生体、外部基準器、内部基準器）のインピーダンスに基因する電圧を測定し、ソフト的な手段に基づいた分離手段により抵抗成分に基因する電圧とリアクタンス成分に基因する電圧とに分離する。これにより、インピーダンス変動要因と密接関係にある抵抗成分とリアクタンス成分とに分離できる。そして、変動定数演算手段によりこれらの抵抗成分に基因する電圧及びリアクタンス成分に基因する電圧と、外部基準器のインピーダンスの抵抗成分及びリアクタンス成分とを、演算式記憶手段に予め記憶されるインピーダンス変動が考慮されたインピーダンス演算式（数１の式）に代入し、インピーダンス変動要因に基づく変動を表す変動変数の定数である変動定数を演算する。これにより、インピーダンス変動要因に基づく数値化した変動を求めることができる。更に、生体インピーダンス演算手段により変動定数と、測定された生体のインピーダンスとを、演算式記憶手段に予め記憶されるインピーダンス演算式（数１の式）に新たに代入し、生体の真のインピーダンスの抵抗成分及びリアクタンス成分を演算する。これにより、インピーダンス変動要因による変動分が補正された正確なデータを得ることができる。
【００９４】
なお、上述した実施の形態においては、生体インピーダンスの測定範囲の下限に該当する既知のインピーダンス（例えば、Ｒ＝１００Ω、Ｘ＝０Ω）である外部基準器と、生体インピーダンスの測定範囲の上限に該当する既知のインピーダンス（例えば、Ｒ＝８００Ω、Ｘ＝０Ω）である外部基準器とを測定したが、同一の外部基準器であっても実施可能である。
【００９５】
また、測定手段には、内部基準器を有するものとして説明したが、内部基準器は有せずとも実施可能である。本件形態の説明の如き内部基準器を有する場合には、従来の技術で引用したインピーダンス測定法（特許第２８３５６５６号公報参照）の効果、すなわち、定電流源の環境変化による変動に影響されないといったことも享受できる。
【００９６】
更に、ステップＳ３２において、生体の真のインピーダンスの抵抗成分ＲＢと生体の真のインピーダンスのリアクタンス成分ＸＢとを演算して出力したが、抵抗成分ＲＢとリアクタンス成分ＸＢとから生体の真のインピーダンスＺＢとして出力してもよい。
【００９７】
次にステップＳ８の接触状態判定ルーチンについて図７を用いて説明する。接触判定は複数のチェックを用いて行われる。
【００９８】
まず、ステップ７で測定された生体５に生じた複素電圧ＶＢが正の値であるかをチェックする（ステップＳ６１）。ここでＶＢが負の値である場合には、明らかに生体が接触していない状態での測定結果が得られていること意味し、この時点で接触が不良であることが解る。
【００９９】
更に、ステップＳ２２で得られる内部基準器７のインピーダンス成分で測定された電圧ＶＲＲが、予め記憶されている閾値電圧ＶＴ１より大きな値であるかをチェックする。この閾値電圧ＶＴ１は、ここでは生体の接触が正常時に得られる電圧の１／２の値としておき、このＶＴ１よりもＶＲＲが小さい場合には、接触が不良であると判断される（ステップＳ６２）。
【０１００】
次にステップＳ７で演算された、生体５の真のインピーダンスの抵抗成分ＲＢの値が、正常範囲内であるかをチェックする。ここでは２００Ω＜ＲＢ＜１０００Ωとし、この範囲内に収まらない場合には接触不良であるとする（ステップＳ６３）。
【０１０１】
更に、生体５の位相差に関するパラメータが正常範囲内であるかをチェックする。ここでは位相差に関するパラメータとしてＸ／Ｒ（＝ｔａｎθ）の値を用いる。本発明者が、この値に関して検証するために、実際に複数の被験者における両足間のインピーダンスの測定を行い、Ｒ成分とＸ成分とを演算した。その値をグラフ上にプロットしたものを図８に示す。これをみて解るように、人体の両足間のＲ成分は約３００〜７００Ω程度に収まり、またＸ成分は−２０〜−９０Ω程度に収まる値である。つまり、生体の両足間のインピーダンスの抵抗成分Ｒとリアクタンス成分Ｘは、ある決まった範囲内にあり、仮に測定値がこの正常な領域から外れるような場合には、接触不良であると判断できる。
【０１０２】
従って、ここでは−０．２５＜Ｘ／Ｒ＜０という条件を決め、この範囲内にあるかどうかで、接触状態を判定する（ステップＳ６４）。
【０１０３】
図８の斜線に示した領域は、ステップＳ６３における２００Ω＜Ｒ＜１０００Ωのうちの２００Ω＜Ｒと、ステップＳ６４における−０．２５＜Ｘ／Ｒ＜０のうちの−０．２５＜Ｘ／Ｒとを組み合わせた領域であるが、このような領域にあるということは、明らかに生体が接触していないことを意味しており、本発明の接触状態の判定が有効であることが解るものである。
【０１０４】
更に今回測定された抵抗成分Ｒと、前回の生体電気インピーダンス測定ルーチンで測定されたＲとを比較することで、安定した値を保持しているかを判定する。ただし接触正常回数ｉが０の場合には、接触状態の正常状態が初回であるため、この判定は行わない（ステップＳ６５）。接触正常回数ｉが０以外の場合には、前回の値と比較を行う。ここでは、今回測定された抵抗成分Ｒが、前回測定された抵抗成分Ｒと比較して、±３Ω以内であるかを判定する（ステップＳ６６）。ここで±３Ω以内であれば、接触正常と判断し、接触正常回数ｉを＋１する（ステップＳ６７）。
【０１０５】
一方、ステップＳ６１、Ｓ６２、Ｓ６３、Ｓ６４、Ｓ６６で、いずれか一つでも判定結果がＮＯの場合には、接触状態が不良であるとして、接触正常回数ｉ＝０とする（ステップＳ６８）。
【０１０６】
以上のように、接触の判定状況により、接触正常回数が決定されることで接触状態判定ルーチンは終了する（ステップＳ６９）。
【０１０７】
以上、本発明の実施例を説明したが、ここでは抵抗成分、リアクタンス成分の算出として、ステップＳ２１〜Ｓ３２に示す方法を用いたが、多周波数の測定電流による生体電気インピーダンス測定を行い、コールコールの円弧則に従い、各レジスタンス成分、リアクタンス成分を算出することから、本発明の電極の接触状態を判定する技術を適用してもよい。
【０１０８】
また、ここでは測定される生体電気インピーダンスにおける抵抗成分をＲ、リアクタンス成分をＸとしたとき、Ｘ／Ｒで示される値を用いて、その値の適正範囲により接触状態を判定するものとして説明したが、抵抗成分Ｒ及びリアクタンス成分Ｘのそれぞれの値に適正範囲を設けて、その範囲内にあるかにより電極と生体の接触状態を判定するものとしてもよい。
【０１０９】
また、ここでは接触状態の判定に使用する位相差に関するパラメータとしてＸ／Ｒで示される値を用いて説明したが、｜Ｘ｜／Ｒまたは｜Ｘ／Ｒ｜で示される値を用いても、本発明と同様の効果が得られる。
【０１１０】
また、この実施例では生体電気インピーダンス測定ルーチンで、真のインピーダンスの抵抗成分とリアクタンス成分とを演算し、その後、接触状態判定ルーチンにおいて、接触状態を判定しているが、真のインピーダンスの演算を行うステップＳ３２の時点で、ＶＢとＶＲは測定できていればステップＳ６１，６２の判定は可能なので、真のインピーダンスの演算Ｓ３３は、接触状態判定ルーチンの途中（例えばステップＳ６２とＳ６３の間）で行うこととすれば、その時点で接触不良と判定された場合には、真のインピーダンスの演算を省略することができる。
【０１１１】
また、本発明は生体電気インピーダンス値（Ｚ＝Ｒ＋ｊＸ）を用いる判定方法として説明したが、アドミッタンス（Ｙ＝１／Ｒ＋１／Ｘ＝Ｇ＋ｊＢ）として考えると、コンダクタンスＧとサセプタンスＢを用いてＧ／ＢをＲ／Ｘの代わりに用いることとしても、本発明と同様に、位相差に関するパラメータを用いていることに変わりなく、接触状態の判定を行うことは可能である。
【０１１２】
更に本発明では、Ｘ／Ｒで示される値を位相角に関するパラメータとして説明しているが、一般にｔａｎ−１２πｆｔ＝Ｘ／Ｒの関係があることは周知であり、位相差のパラメータとしてｔを用いても、本発明と同様の効果が得られる。
【図面の簡単な説明】
【０１１３】
【図１】本発明の体脂肪計の構成を示すブロック図
【図２】測定手段における回路モデル
【図３】インピーダンスの抵抗成分及びリアクタンス成分の関係を示す座標図
【図４】本発明の体脂肪計の動作の流れを示すメインフローチャート
【図５】図４のフローチャートにおける生体電気インピーダンス測定のサブルーチンを示すフローチャート
【図６】図５のフローチャートにおける分離手段１６での処理の流れを示すフローチャート
【図７】図４のフローチャートにおける接触状態判定のサブルーチンを示すフローチャート
【図８】複数人における抵抗成分Ｒとリアクタンス成分Ｘの演算結果をプロットしたグラフ
【図９】背景技術を説明するための生体電気インピーダンス測定部のブロック図
【符号の説明】
【０１１４】
１  測定手段
２  記憶部
３  マイコン
４  表示部
５  生体
６  外部基準器
７  内部基準器
８  定電圧（正弦波交流）発生器
９  電圧／電流変換器
１０  電極Ａ
１１  電極Ｂ
１２  切替器
１３  増幅器
１４  フィルタ
１５  Ａ／Ｄ変換器
１６  分離手段
１７  演算式記憶手段
１８  変動定数記憶手段
１９  変動定数演算手段
２０  生体インピーダンス演算手段
２１  入力手段
【図１】
2005080720.tif 000004
【図２】
2005080720.tif 000005
【図３】
2005080720.tif 000006
【図４】
2005080720.tif 000007
【図５】
2005080720.tif 000008
【図６】
2005080720.tif 000009
【図７】
2005080720.tif 000010
【図８】
2005080720.tif 000011
【図９】
2005080720.tif 000012